(57)【要約】  重畳部（１０５）が、親画面用ガンマＬＵＴ（１０２）にてガンマ補正された映像信号に基づいて生成される親画面に、子画面用ガンマＬＵＴ（１０４）にてガンマ補正された映像信号に基づいて生成される子画面を合成し合成画面を生成し、制御部（１０６）が、合成画面における子画面の近傍の領域に基づいて得られた親画面の輝度と、子画面の輝度とを比較し、これら輝度の差分が閾値よりも大きな値である場合に、子画面用ガンマＬＵＴ（１０４）がガンマ補正に用いるガンマ特性を変更する。
2014167616.tif 000002
【特許請求の範囲】
【請求項１】
入力された第１の映像信号に所定の処理を行い出力する第１の画像処理部と、
入力された第２の映像信号に所定の処理を行い出力する第２の画像処理部と、
前記第１の画像処理部から入力された映像信号の階調を、所定の階調特性に基づき補正する第１の補正部と、
前記第２の画像処理部から入力された映像信号の階調を、所定の階調特性に基づき補正する第２の補正部と、
前記第１の補正部にて補正された映像信号に基づいて生成される第１の画面に、前記第２の補正部にて補正された映像信号に基づいて生成される第２の画面を、前記第１の画面の大きさよりも小さな大きさで合成して合成画面を生成する重畳部と、
少なくとも、前記第１の画像処理部と、前記第２の画像処理部と、前記第２の補正部と、前記重畳部と通信する制御部と、
前記合成画面を出力する出力部とを有し、
前記第１の画像処理部は、前記合成画面における前記第２の画面の近傍の領域に基づき入力された前記第１の映像信号に対応する輝度を測定して、該測定した輝度に基づく第１の輝度情報を生成し、
前記第２の画像処理部は、入力された前記第２の映像信号に対応する輝度を測定して、該測定した輝度に基づく第２の輝度情報を生成し、
前記制御部は、前記第１の画像処理部が生成した前記第１の輝度情報と前記第２の画像処理部が生成した前記第２の輝度情報とに基づき、前記第２の補正部が補正する前記階調特性を変更する、画像処理装置。
【請求項２】
請求項１に記載の画像処理装置において、
前記第１の輝度情報が第１の輝度であり、前記第２の輝度情報が第２の輝度であり、前記制御部は、前記第１の輝度と前記第２の輝度との差分を算出し、該算出した差分が閾値よりも大きな値である場合に、前記第２の補正部が補正する前記階調特性を変更する、画像処理装置。
【請求項３】
請求項２に記載の画像処理装置において、
前記第１の輝度は、前記第１の画面の複数の測定点の輝度に重み付けを行って算出される、画像処理装置。
【請求項４】
請求項３に記載の画像処理装置において、
前記制御部は、前記合成画面における前記第１の画面に対する前記第２の画面の相対位置に応じて、前記第１の画面の前記複数の測定点の輝度それぞれに対して重み付けを行い、該重み付けを行った輝度の値に基づいて前記第１の輝度を算出する、画像処理装置。
【請求項５】
請求項２から４のいずれか１項に記載の画像処理装置において、
前記第２の輝度は、前記第２の画面の複数の測定点の輝度に重み付けを行って算出される、画像処理装置。
【請求項６】
請求項５に記載の画像処理装置において、
前記制御部は、前記合成画面における前記第１の画面に対する前記第２の画面の相対位置に応じて、前記第２の画面の前記複数の測定点の輝度それぞれに対して重み付けを行い、該重み付けを行った輝度の値に基づいて前記第２の輝度を算出する、画像処理装置。
【請求項７】
請求項２に記載の画像処理装置において、
前記第１の輝度は、前記第１の画面の複数の測定点の輝度の平均値である、画像処理装置。
【請求項８】
請求項２または７に記載の画像処理装置において、
前記第２の輝度は、前記第２の画面の複数の測定点の輝度の平均値である、画像処理装置。
【請求項９】
請求項２から８のいずれか１項に記載の画像処理装置において、
前記制御部は、前記第１の輝度が前記第２の輝度よりも高い場合に、前記第２の補正部が補正する前記階調特性の低階調部分の出力を上げる、画像処理装置。
【請求項１０】
請求項２から９のいずれか１項に記載の画像処理装置において、
前記制御部は、前記第１の輝度が前記第２の輝度よりも低い場合に、前記第２の補正部が補正する前記階調特性の高階調部分の出力を下げる、画像処理装置。
【請求項１１】
請求項１から１０のいずれか１項に記載の画像処理装置において、
前記合成画面における前記第２の画面の水平方向の大きさをＬｈ、垂直方向の大きさをＬｖとすると、前記合成画面における前記第２の画面の近傍の領域は、前記第２の画面の垂直方向の枠から０以上、Ｌｈ／２以内、前記第２の画面の水平方向の枠から０以上、Ｌｖ／２以内の領域である、画像処理装置。
【請求項１２】
請求項１から１１のいずれか１項に記載の画像処理装置において、
前記重畳部は、前記第２の画面に枠を付加して前記第１の画面に合成して前記合成画面を生成し、
前記制御部は、前記合成画面における前記第２の画面の近傍の領域に対応する前記第１の画面の輝度に応じた枠設定情報を前記重畳部へ通知し、
前記重畳部は、前記制御部から通知された枠設定情報に基づいて前記枠を付加することを特徴とする画像処理装置。
【請求項１３】
請求項１２に記載の画像処理装置において、
前記制御部は、前記枠設定情報として、前記枠を表示するための枠画像情報が輝度毎に保持されたテーブルを有し、前記合成画面における前記第２の画面の近傍の領域に対応する前記第１の画面の輝度と対応付けられた枠画像情報を前記テーブルから読み出して前記重畳部へ通知する、画像処理装置。
【請求項１４】
請求項１から１３のいずれか１項に記載の画像処理装置を備えた表示装置。
【請求項１５】
入力された第１の映像信号の階調を所定の階調特性に基づき補正する第１の補正と、入力された第２の映像信号の階調を所定の階調特性に基づき補正する第２の補正とをそれぞれ行う処理と、
前記第１の補正がなされた映像信号に基づいて生成される第１の画面に、前記第２の補正がなされた映像信号に基づいて生成される第２の画面を、前記第１の画面の大きさよりも小さな大きさで合成して合成画面を生成する処理と、
前記合成画面における前記第２の画面の近傍の領域に基づき入力された前記第１の映像信号に対応する輝度を測定して、該測定した輝度に基づく第１の輝度情報を生成する処理と、
入力された前記第２の映像信号に対応する輝度を測定して、該測定した輝度に基づく第２の輝度情報を生成する処理と、
前記第１の輝度情報と前記第２の輝度情報とに基づき、前記第２の補正で用いる前記階調特性を変更する処理と、を行う画像処理方法。
【請求項１６】
入力された第１の映像信号の階調を所定の階調特性に基づき補正する第１の補正と、入力された第２の映像信号の階調を所定の階調特性に基づき補正する第２の補正とをそれぞれ行う手順と、
前記第１の補正がなされた映像信号に基づいて生成される第１の画面に、前記第２の補正がなされた映像信号に基づいて生成される第２の画面を、前記第１の画面の大きさよりも小さな大きさで合成して合成画面を生成する手順と、
前記合成画面における前記第２の画面の近傍の領域に基づき入力された前記第１の映像信号に対応する輝度を測定して、該測定した輝度に基づく第１の輝度情報を生成する手順と、
入力された前記第２の映像信号に対応する輝度を測定して、該測定した輝度に基づく第２の輝度情報を生成する手順と、
前記第１の輝度情報と前記第２の輝度情報とに基づき、前記第２の補正で用いる前記階調特性を変更する手順とを、画像処理装置に実行させるためのプログラム。
【発明の詳細な説明】
【技術分野】
【０００１】
本発明は、画像を処理する画像処理装置、画像処理方法およびプログラムに関する。
【背景技術】
【０００２】
近年、例えば特許文献１に開示されているような、親画面と子画面との２つの画面を重ねて合成し、１つのディスプレイに表示する技術（ＰＩＰ：Ｐｉｃｔｕｒｅ  ｉｎ  Ｐｉｃｔｕｒｅ表示）が利用される場面が多くなっている。【０００３】
図１は、ＰＩＰ表示を行う本発明に関連する画像処理装置の内部構成の一例を示す図である。【０００４】
図１に示した画像処理装置１０００には、画像処理部１００１，１００３と、重畳部１００５と、出力部１００７とが設けられている。画像処理部１００１，１００３は、画像処理装置１０００に入力された映像信号である親画面用のＰＣ信号と子画面用のビデオ信号とのそれぞれについて、スケーリングや色調整等の画像処理を行う。そして、重畳部１００５は、画像処理が行われたそれぞれの映像信号から生成される親画面の一部に子画面を重ねて合成し、合成画面を生成する。出力部１００７は、重畳部１００５が合成した合成画面を表示する。【０００５】
図２は、図１に示した画像処理装置１０００に入力されるＰＣ信号から生成される画面の一例を示す図である。また、図３は、図１に示した画像処理装置１０００に入力されるビデオ信号から生成される画面の一例を示す図である。また、図４は、図１に示した画像処理装置１０００の出力部１００７に表示される画面の一例を示す図である。【０００６】
図４に示すように、図２に示したＰＣ信号から生成される画面を親画面２０００とし、図３に示したビデオ信号から生成される画面を子画面３０００として、子画面３０００が親画面２０００の一部に重ねて合成されて、出力部１００７に表示される。
【先行技術文献】
【特許文献】
【０００７】
【特許文献１】特開平７−１６２８９２号公報
【発明の概要】
【発明が解決しようとする課題】
【０００８】
上述したように親画面と子画面とが重なる部分が存在するように表示されたとき、親画面の明るさと子画面の明るさとの差が大きな場合、例えば、明るい画面の表示にぎらつきを感じ、画面の表示が見えにくくなるなど、画面の見栄えが悪化するおそれがある。【０００９】
本発明の目的は、上述した課題を解決する画像処理装置、画像処理方法およびプログラムを提供することである。
【課題を解決するための手段】
【００１０】
上記目的を達成するため、本発明の一態様によれば、
入力された第１の映像信号に所定の処理を行い出力する第１の画像処理部と、
入力された第２の映像信号に所定の処理を行い出力する第２の画像処理部と、
前記第１の画像処理部から入力された映像信号の階調を、所定の階調特性に基づき補正する第１の補正部と、
前記第２の画像処理部から入力された映像信号の階調を、所定の階調特性に基づき補正する第２の補正部と、
前記第１の補正部にて補正された映像信号に基づいて生成される第１の画面に、前記第２の補正部にて補正された映像信号に基づいて生成される第２の画面を、前記第１の画面の大きさよりも小さな大きさで合成して合成画面を生成する重畳部と、
少なくとも、前記第１の画像処理部と、前記第２の画像処理部と、前記第２の補正部と、前記重畳部と通信する制御部と、
前記合成画面を出力する出力部とを有し、
前記第１の画像処理部は、前記合成画面における前記第２の画面の近傍の領域に基づき入力された前記第１の映像信号に対応する輝度を測定して、該測定した輝度に基づく第１の輝度情報を生成し、
前記第２の画像処理部は、入力された前記第２の映像信号に対応する輝度を測定して、該測定した輝度に基づく第２の輝度情報を生成し、
前記制御部は、前記第１の画像処理部が生成した前記第１の輝度情報と前記第２の画像処理部が生成した前記第２の輝度情報とに基づき、前記第２の補正部が補正する前記階調特性を変更する画像処理装置が提供される。【００１１】
また、本発明の別の態様によれば、
入力された第１の映像信号の階調を所定の階調特性に基づき補正する第１の補正と、入力された第２の映像信号の階調を所定の階調特性に基づき補正する第２の補正とをそれぞれ行う処理と、
前記第１の補正がなされた映像信号に基づいて生成される第１の画面に、前記第２の補正がなされた映像信号に基づいて生成される第２の画面を、前記第１の画面の大きさよりも小さな大きさで合成して合成画面を生成する処理と、
前記合成画面における前記第２の画面の近傍の領域に基づき入力された前記第１の映像信号に対応する輝度を測定して、該測定した輝度に基づく第１の輝度情報を生成する処理と、
入力された前記第２の映像信号に対応する輝度を測定して、該測定した輝度に基づく第２の輝度情報を生成する処理と、
前記第１の輝度情報と前記第２の輝度情報とに基づき、前記第２の補正で用いる前記階調特性を変更する処理と、を行う画像処理方法が提供される。【００１２】
また、本発明の他の態様によれば、
入力された第１の映像信号の階調を所定の階調特性に基づき補正する第１の補正と、入力された第２の映像信号の階調を所定の階調特性に基づき補正する第２の補正とをそれぞれ行う手順と、
前記第１の補正がなされた映像信号に基づいて生成される第１の画面に、前記第２の補正がなされた映像信号に基づいて生成される第２の画面を、前記第１の画面の大きさよりも小さな大きさで合成して合成画面を生成する手順と、
前記合成画面における前記第２の画面の近傍の領域に基づき入力された前記第１の映像信号に対応する輝度を測定して、該測定した輝度に基づく第１の輝度情報を生成する手順と、
入力された前記第２の映像信号に対応する輝度を測定して、該測定した輝度に基づく第２の輝度情報を生成する手順と、
前記第１の輝度情報と前記第２の輝度情報とに基づき、前記第２の補正で用いる前記階調特性を変更する手順とを、画像処理装置に実行させるためのプログラムが提供される。
【発明の効果】
【００１３】
以上説明したように、本発明においては、画面の見栄えを改善することができる。
【図面の簡単な説明】
【００１４】
【図１】ＰＩＰ表示を行う本発明に関連する画像処理装置の内部構成の一例を示す図である。
【図２】図１に示した画像処理装置に入力されるＰＣ信号から生成される画面の一例を示す図である。
【図３】図１に示した画像処理装置に入力されるビデオ信号から生成される画面の一例を示す図である。
【図４】図１に示した画像処理装置の出力部に表示される画面の一例を示す図である。
【図５】本発明の第１の実施形態の画像処理装置を示す図である。
【図６】図５に示した重畳部１０５が親画面の一部に子画面を重ねて合成した合成画面の一例を示す図である。
【図７Ａ】図５に示した親画面用画像処理部が輝度を測定する測定点の一例を示す図である。
【図７Ｂ】図５に示した子画面用画像処理部が輝度を測定する測定点の一例を示す図である。
【図８Ａ】図５に示した子画面用ガンマＬＵＴがガンマ補正に通常用いるガンマ特性の一例を示す図である。
【図８Ｂ】図５に示した制御部が、低階調部分の出力を上げるように変更したガンマ特性の一例を示す図である。
【図８Ｃ】図５に示した制御部が、高階調部分の出力を下げるように変更したガンマ特性の一例を示す図である。
【図９Ａ】図５に示した画像処理装置における画像処理方法を説明するためのフローチャートである。
【図９Ｂ】子画面のガンマ特性変更処理の一手順を示すフローチャートである。
【図１０Ａ】子画面が親画面の中央付近に位置する場合の重畳画面の一例を示す図である。
【図１０Ｂ】子画面が親画面の端付近に位置する場合の重畳画面の一例を示す図である。
【図１１】枠が付加された子画面の一例を示す図である。
【図１２】輝度と枠の色とを対応付けたテーブルの一例を示す図である。
【発明を実施するための形態】
【００１５】
以下に、本発明の実施の形態について図面を参照して説明する。なお、本明細書および図面において、同一の機能を有する構成要素については同じ符号を付することにより重複説明を省略する場合がある。
【００１６】
（第１の実施形態）
図５は、本発明の第１の実施形態の画像処理装置を示す図である。
【００１７】
本形態における画像処理装置１００には図５に示すように、親画面用画像処理部１０１と、親画面用ガンマＬＵＴ１０２と、子画面用画像処理部１０３と、子画面用ガンマＬＵＴ１０４と、重畳部１０５と、制御部１０６と、出力部１０７と、入力信号切替部１０８とが設けられている。また、画像処理装置１００は、画面を表示するための複数の映像信号を入力される。ここでは、画像処理装置１００は、ＰＣ（Ｐｅｒｓｏｎａｌ  Ｃｏｍｐｕｔｅｒ）から出力されてきたＰＣ信号と、ビデオカメラから出力されてきたビデオ信号との２つの映像信号を入力する場合を例に挙げて説明する。なお、入力される複数の信号は、異なる種類の信号でも良いし、同じ種類の信号でも良い。
【００１８】
親画面用画像処理部１０１は、入力された第１の映像信号である例えばＰＣ信号について、解像度変換（スケーリング）や色調整等の画像処理を行う。また、親画面用画像処理部１０１は、画像処理を施した第１の映像信号を親画面用ガンマＬＵＴ１０２へ出力する。また、親画面用画像処理部１０１は、制御部１０６の指示に応じて、入力されたＰＣ信号について輝度を測定し、測定した輝度に基づく輝度情報を生成して制御部１０６に通知する。親画面用画像処理部１０１は、各種の画像処理を行う第１の画像処理部である。
【００１９】
親画面用ガンマＬＵＴ１０２は、親画面用画像処理部１０１から入力された第１の映像信号について、入力信号に対する出力信号の特性を表す映像信号の階調特性を補正する映像信号階調補正、例えば、入力信号に対する出力信号の特性であるガンマ特性を用いて、ガンマ補正を行う。また、親画面用ガンマＬＵＴ１０２は、ガンマ補正を施した第１の映像信号を重畳部１０５へ出力する。親画面用ガンマＬＵＴ１０２は、第１の補正部である。
【００２０】
子画面用画像処理部１０３は、入力された第２の映像信号である例えばビデオ信号について、解像度変換（スケーリング）や色調整等の画像処理を行う。本実施形態では、子画面用画像処理部１０３は、重畳部１０５で合成される子画面の大きさに画像処理を行うものとする。なお、合成される子画面を生成する解像度変換などの画像処理は、例えば、重畳部１０５で行っても良い。また、子画面用画像処理部１０３は、画像処理を施した第２の映像信号を子画面用ガンマＬＵＴ１０４へ出力する。また、子画面用画像処理部１０３は、制御部１０６の指示に応じて、入力されたビデオ信号について輝度を測定し、測定した輝度に基づく輝度情報を制御部１０６に通知する。子画面用画像処理部１０３は、各種の画像処理を行う第２の画像処理部である。
【００２１】
子画面用ガンマＬＵＴ１０４は、子画面用画像処理部１０３から入力された第２の映像信号について、入力信号に対する出力信号の特性を表す映像信号の階調特性を補正する映像信号階調補正、例えば、入力信号に対する出力信号の特性であるガンマ特性を用いて、ガンマ補正を行う。また、親画面用ガンマＬＵＴ１０４は、ガンマ補正を施した第２の映像信号を重畳部１０５へ出力する。親画面用ガンマＬＵＴ１０４は、第２の補正部である。なお、子画面用ガンマＬＵＴ１０４がガンマ補正に用いるガンマ特性は、後述するように、制御部１０６によって変更される。
【００２２】
重畳部１０５は、親画面用ガンマＬＵＴ１０２にてガンマ補正された映像信号に基づいて生成される親画面（第１の画面）の一部に、子画面用ガンマＬＵＴ１０４にてガンマ補正された映像信号に基づいて生成される子画面（第２の画面）を重ねて合成し、合成画面を生成する。なお、本実施形態では、子画面の大きさは親画面の大きさよりも小さいものとする。重畳部１０５が合成する合成画面における親画面の大きさと子画面の大きさとの比は、画像処理装置１００にあらかじめ設定されているものであっても良いし、画像処理装置１００の外部から設定できるものであっても良い。また、重畳部１０５が合成する合成画面における、親画面に対する子画面の位置は、画像処理装置１００にあらかじめ設定されているものであっても良いし、画像処理装置１００の外部から設定できるものであっても良い。本実施形態では、重畳部１０５が合成する合成画面における親画面に対する子画面の位置は、画像処理装置１００の外部から制御部１０６を介して設定される。重畳部１０５は、生成した合成画面を出力部１０７に出力する。
【００２３】
図６は、図５に示した重畳部１０５が親画面の一部に子画面を重ねて合成した合成画面の一例を示す図である。
【００２４】
図６を参照すると、１９２０ｄｏｔ×１０８０ｌｉｎｅの大きさの親画面２００に、４８０ｄｏｔ×２７０ｌｉｎｅの大きさの子画面３００が重ねられている。
【００２５】
なお、重畳部１０５は、画像処理装置１００の設定に基づいてＰＩＰ表示を行わない場合、親画面と子画面との合成を行わず、親画面と子画面とのどちらか一方を出力部１０７へ出力する。
【００２６】
制御部１０６は、親画面用画像処理部１０１、親画面用ガンマＬＵＴ１０２、子画面用画像処理部１０３、子画面用ガンマＬＵＴ１０４、重畳部１０５、出力部１０７および入力信号切替部１０８などと、各種設定や、各種情報のやりとりなどの通信を行う。制御部１０６は、重畳部１０５が生成する合成画面に基づき、親画面用画像処理部１０１に、輝度の測定の開始、終了、および、親画面用画像処理部１０１が測定する輝度の測定位置などを通知する。また、制御部１０６は、重畳部１０５が生成する合成画面に基づき、子画面用画像処理部１０３に、輝度の測定の開始、終了、および、子画面用画像処理部１０３が測定する輝度の測定位置などを通知する。また、制御部１０６は、親画面用画像処理部１０１および子画面用画像処理部１０３が測定した輝度に基づく輝度情報を、それぞれ受信する。
【００２７】
ここで、親画面用画像処理部１０１および子画面用画像処理部１０３が制御部１０６の指示に応じて行う輝度の測定について説明する。親画面用画像処理部１０１は、合成画面における子画面の近傍の領域に基づき、入力されたＰＣ信号の輝度を測定する。また、子画面用画像処理部１０３は、子画面の外周である子画面の枠の近傍に対応する、入力されたビデオ信号の輝度を測定する。なお、本実施形態では、輝度の測定は、入力された映像信号を用いて、それぞれの画像処理部で測定したが、入力された映像信号に対応する、例えば、解像度変換した後の画面に基づいて行っても良い。この輝度の測定方法は、任意の測定点について、赤、緑および青に対応するＲＧＢ信号から輝度信号を求める一般的な方法を用いるもので良い。
【００２８】
なお、輝度の測定は、重畳部１０５が測定して制御部１０６に通知してもよい。例えば、親画面の輝度の測定は、重畳部１０５が合成する前の画面を用いても良いし、合成した後の合成画面を用いても良い。
【００２９】
親画面用画像処理部１０１および子画面用画像処理部１０３が輝度を測定する測定点について、以下に説明する。
【００３０】
図７Ａは、図５に示した親画面用画像処理部１０１が輝度を測定する測定点の一例を示す図である。なお、合成画面における子画面３００の位置（親画面に対する子画面の位置）は、制御部１０６から通知される。図７Ａにおいて、子画面３００（点線の枠）は仮想的に示したものである。
【００３１】
図７Ａに示すように、例えば、合成画面における子画面３００の大きさを４８０ｄｏｔ×２７０ｌｉｎｅとすると、親画面における仮想的な子画面３００の４辺（枠）のそれぞれから２ｄｏｔ（ｌｉｎｅ）離れた８つの点が測定点（１）〜（８）とされる。
【００３２】
測定点（１）は、仮想的な子画面（ここでは、以下、子画面と記載する。）の左辺から２ｄｏｔ離れた位置に垂直方向にひかれた線と子画面の上辺から２ｄｏｔ（ｌｉｎｅ）離れた位置に水平方向にひかれた線との交点に対応する位置にある。測定点（２）は、子画面の中央部にひかれた垂直方向の線と子画面の上辺から２ｄｏｔ（ｌｉｎｅ）離れた位置に水平方向にひかれた線との交点に対応する位置にある。測定点（３）は、子画面の右辺から２ｄｏｔ離れた位置に垂直方向にひかれた線と子画面の上辺から２ｄｏｔ（ｌｉｎｅ）離れた位置に水平方向にひかれた線との交点に対応する位置にある。測定点（４）は、子画面の右辺から２ｄｏｔ離れた位置に垂直方向にひかれた線と子画面の中央部にひかれた水平方向の線との交点に対応する位置にある。測定点（５）は、子画面の右辺から２ｄｏｔ離れた位置に垂直方向にひかれた線と子画面の下辺から２ｄｏｔ（ｌｉｎｅ）離れた位置に水平方向にひかれた線との交点に対応する位置にある。測定点（６）は、子画面の中央部にひかれた垂直方向の線と子画面の下辺から２ｄｏｔ（ｌｉｎｅ）離れた位置に水平方向にひかれた線との交点に対応する位置にある。測定点（７）は、子画面の左辺から２ｄｏｔ離れた位置に垂直方向にひかれた線と子画面の下辺から２ｄｏｔ（ｌｉｎｅ）離れた位置に水平方向にひかれた線との交点に対応する位置にある。測定点（８）は、子画面の左辺から２ｄｏｔ離れた位置に垂直方向にひかれた線と子画面の中央部にひかれた水平方向の線との交点に対応する位置にある。
【００３３】
親画面用画像処理部１０１は、測定点（１）〜（８）で測定した輝度の平均値（第１の輝度）を算出する。第１の輝度は、輝度に基づく輝度情報の一例である。
【００３４】
次に、子画面用画像処理部１０３が輝度を測定する子画面の枠の近傍の領域の測定点について説明する。
【００３５】
図７Ｂは、図５に示した子画面用画像処理部１０３が輝度を測定する測定点の一例を示す図である。図７Ｂに示す子画面３００は、図７Ａに仮想的に示した子画面３００に対応する。なお、合成画面における子画面３００の位置は、制御部１０６から通知される。
【００３６】
図７Ｂに示すように、子画面３００の測定点は、例えば、３×３の９つの測定点（１１）〜（１９）を含む。測定点（１１）〜（１８）は、子画面３００の４辺（枠）に沿って内側に配置されており、測定点（１９）は、子画面３００の中央付近に配置されている。
【００３７】
具体的には、合成画面における子画面３００の大きさを４８０ｄｏｔ×２７０ｌｉｎｅとすると、測定点（１１）〜（１９）は以下のように配置されている。
【００３８】
測定点（１１）は、子画面３００の左辺から２ｄｏｔ離れた内側の位置に垂直方向にひかれた線と子画面３００の上辺から２ｄｏｔ（ｌｉｎｅ）離れた内側の位置に水平方向にひかれた線との交点に対応する位置にある。測定点（１２）は、子画面３００の中央部にひかれた垂直方向の線と子画面３００の上辺から２ｄｏｔ（ｌｉｎｅ）離れた内側の位置に水平方向にひかれた線との交点に対応する位置にある。
【００３９】
測定点（１３）は、子画面３００の右辺から２ｄｏｔ離れた内側の位置に垂直方向にひかれた線と子画面３００の上辺から２ｄｏｔ（ｌｉｎｅ）離れた内側の位置に水平方向にひかれた線との交点に対応する位置にある。測定点（１４）は、子画面３００の右辺から２ｄｏｔ離れた内側の位置に垂直方向にひかれた線と子画面３００の中央部にひかれた水平方向の線との交点に対応する位置にある。
【００４０】
測定点（１５）は、子画面３００の右辺から２ｄｏｔ離れた内側の位置に垂直方向にひかれた線と子画面３００の下辺から２ｄｏｔ（ｌｉｎｅ）離れた内側の位置に水平方向にひかれた線との交点に対応する位置にある。測定点（１６）は、子画面３００の中央部にひかれた垂直方向の線と子画面３００の下辺から２ｄｏｔ（ｌｉｎｅ）離れた内側の位置に水平方向にひかれた線との交点に対応する位置にある。
【００４１】
測定点（１７）は、子画面３００の左辺から２ｄｏｔ離れた内側の位置に垂直方向にひかれた線と子画面３００の下辺から２ｄｏｔ（ｌｉｎｅ）離れた内側の位置に水平方向にひかれた線との交点に対応する位置にある。測定点（１８）は、子画面３００の左辺から２ｄｏｔ離れた内側の位置に垂直方向にひかれた線と子画面３００の中央部にひかれた水平方向の線との交点に対応する位置にある。
【００４２】
測定点（１９）は、子画面３００の中央部にひかれた水平方向及び垂直方向の各線の交点に対応する位置にある。
【００４３】
子画面用画像処理部１０３は、測定点（１１）〜（１９）で測定した輝度の平均値（第２の輝度）を算出する。第２の輝度は、輝度に基づく輝度情報の一例である。なお、子画面３００の測定点から測定点（１９）を除いても良い。
【００４４】
なお、本実施形態では、測定点の位置を子画面の枠から２ｄｏｔの間隔だけ離して設定しているが、これに限定されない。本実施形態の場合、例えば、間隔をあけなくとも良い。この間隔は、例えば、それぞれの画面に解像度変換を行うときに発生する誤差や画面を合成するときに発生する誤差等を考慮して設定される。測定点の位置は、この誤差等の影響を受けにくい所定の間隔だけ離した位置に設定される。また、本実施形態では、測定点は、１つの画素に対応して１つの測定点としたが、複数の画素を含む領域に対応して１つの測定点とし、複数の画素で測定した複数の輝度の平均値などを用いても良い。また、測定点は、子画面の枠から所定の間隔だけ離した、子画面の枠の近傍の、所定の幅を持つ枠の領域としても良い。このとき、例えば、周囲の枠を上記の測定点（１）〜（８）や測定点（１１）〜（１８）に対応するように分割して判定しても良い。この分割判定において、測定点（１９）を含めた枠の分割が行われてもよい。また、解像度変換した後の子画面を用いて輝度を測定する場合、解像度変換した後の子画面は小さいので、子画面の全ての領域を用いても良い。また、測定点の領域は、合成画面における子画面の近傍の領域、例えば、合成画面における子画面の水平方向の大きさをＬｈ、垂直方向の大きさをＬｖとすると、合成画面における子画面の垂直方向の枠から０以上（１／２）Ｌｈ以内、子画面の水平方向の枠から０以上（１／２）Ｌｖ以内となる領域に対応するように設定してもよい。また、子画面３００の大きさまたは位置が変更された場合、その変更後の子画面３００に応じて、測定点の位置が変更されるようにしてもよい。
【００４５】
また、親画面用画像処理部１０１および子画面用画像処理部１０３は、それぞれ、測定した輝度に基づく輝度情報を、制御部１０６に通知する。
【００４６】
制御部１０６は、親画面用画像処理部１０１から受信した輝度に基づく輝度情報と子画面用画像処理部１０３から受信した輝度に基づく輝度情報とに基づいて、どちらの輝度が高いかを判別し、また、その差分を算出する。このとき、制御部１０６は、上述したように算出した、第１の輝度と第２の輝度とを比較して、どちらの輝度が高いかを判別し、また、その差分を算出する。
【００４７】
算出した差分があらかじめ設定された閾値よりも大きな値である場合、制御部１０６は、子画面用ガンマＬＵＴ１０４がガンマ補正に用いるガンマ特性を変更する。具体的には、第１の輝度が第２の輝度よりも高く、制御部１０６が算出した差分があらかじめ設定された閾値よりも大きな値である場合（状態Ａ）、制御部１０６は、子画面用ガンマＬＵＴ１０４がガンマ補正に用いるガンマ特性の低階調部分の出力を上げるように、当該ガンマ特性を変更する。また、第１の輝度が第２の輝度よりも低く、制御部１０６が算出した差分があらかじめ設定された閾値よりも大きな値である場合（状態Ｂ）、制御部１０６は、子画面用ガンマＬＵＴ１０４が補正に用いるガンマ特性の高階調部分の出力を下げるように、当該ガンマ特性を変更する。ここで用いる閾値は、制御部１０６にあらかじめ設定されているものであっても良いし、画像処理装置１００の外部から設定・変更可能なものであっても良い。また、第１の輝度が第２の輝度よりも高い場合に使用される閾値と、第１の輝度が第２の輝度よりも低い場合に使用される閾値は、それぞれ異なる値で設定されても良い。また、制御部１０６がガンマ特性の低階調部分の出力を上げる変更幅や変更開始位置、および制御部１０６がガンマ特性の高階調部分の出力を下げる変更幅や変更開始位置は、あらかじめ設定されたものや、任意に設定されるもので良い。
【００４８】
図８Ａは、図５に示した子画面用ガンマＬＵＴ１０４がガンマ補正に通常用いるガンマ特性の一例を示す図である。また、図８Ｂは、図５に示した制御部１０６が、低階調部分の出力を上げるように変更したガンマ特性の一例を示す図である。ここで、ガンマ特性は、任意に設定される変更開始位置を基準とし、変更開始位置よりも低階調部分に対し、変更幅に対応する傾きに基づいて変更される。また、図８Ｃは、図５に示した制御部１０６が、高階調部分の出力を下げるように変更したガンマ特性の一例を示す図である。ここで、ガンマ特性は、任意に設定される変更開始位置を基準とし、変更開始位置よりも高階調部分に対し、変更幅に対応する傾きに基づいて変更される。なお、変更開始位置および変更幅は、低階調部分を変更する場合と、高階調部分を変更する場合とで、それぞれ設定されても良い。
【００４９】
子画面用ガンマＬＵＴ１０４が、通常、図８Ａに示すようなガンマ特性を用いて、映像信号をガンマ補正する場合、制御部１０６が行った比較の結果が状態Ａであると、図８Ｂに示すように、制御部１０６は、子画面用ガンマＬＵＴ１０４がガンマ補正に用いるガンマ特性の低階調部分（破線で示した部分）の出力を上げるように、当該ガンマ特性を変更する。また、制御部１０６が行った比較の結果が状態Ｂであると、図８Ｂに示すように、制御部１０６は、子画面用ガンマＬＵＴ１０４がガンマ補正に用いるガンマ特性の高階調部分（破線で示した部分）の出力を下げるように、当該ガンマ特性を変更する。ここで、低階調部分の範囲は、入力が０である階調から所定の階調（変更開始位置）までの範囲である。また、高階調部分の範囲は、入力が所定の階調（変更開始位置）から最大値となる階調までの範囲である。
【００５０】
なお、制御部１０６が、子画面用ガンマＬＵＴ１０４がガンマ補正に用いるガンマ特性を変更する処理は、所定の期間毎に行ってもよい。また、ガンマ特性を変更するときの変更幅を、所定の時間ごとに徐々に目的の値になるように変更しても良い。この場合、子画面が動画等の場合、子画面のガンマ特性が頻繁に変更されることにより発生する画面のちらつきを軽減することができる。
【００５１】
なお、制御部１０６が、子画面用ガンマＬＵＴ１０４がガンマ補正に用いるガンマ特性を変更する処理を停止して元のガンマ特性に戻すタイミングは、特に規定しない。例えば、そのタイミングとして、画像処理装置１００の外部からの設定等で、画像処理装置１００がＰＩＰ表示処理を停止したとき（１つの映像信号しか入力されない場合や、入力された２つの映像信号のうち、一方の映像信号から生成される画面のみを表示する場合等）や、画像処理装置１００の出力部１０７による表示を停止するときなどが考えられる。
【００５２】
また、制御部１０６は、親画面のどの位置に子画面を重ねるかを指示するＰＩＰ信号が外部から入力されると、入力されたＰＩＰ信号に基づいて、ＰＣ信号から生成される親画面のどの位置に、ビデオ信号から生成される子画面を重ねるかを重畳部１０５へ通知する。
【００５３】
出力部１０７は、重畳部１０５が出力した画面を出力（表示）する。
【００５４】
入力信号切替部１０８は、入力される複数の信号のうち１つの信号を親画面用画像処理部１０１に出力し、入力される複数の信号のうち他の１つの信号を子画面用画像処理部１０３に出力するように選択的に切り替えて出力する。本実施形態では、入力信号切替部１０８は、入力されたＰＣ信号を親画面用画像処理部１０１に出力し、入力されたビデオ信号を子画面用画像処理部１０３に出力する。
【００５５】
以下に、図５に示した画像処理装置１００における画像処理方法について説明する。
【００５６】
図９Ａは、図５に示した画像処理装置１００における画像処理方法を説明するためのフローチャートである。
【００５７】
まず、ステップＡ１にて、親画面用画像処理部１０１が、画像処理装置１００に入力されたＰＣ信号（親画面の基となる映像信号）について、画像処理を行う。この画像処理は、上述したように、スケーリングや色調整等の画像処理である。
【００５８】
ステップＡ２にて、子画面用画像処理部１０３が、画像処理装置１００に入力されたビデオ信号（子画面の基となる映像信号）について、画像処理を行う。この画像処理は、上述したように、スケーリングや色調整等の画像処理である。
【００５９】
上記親画面の画像処理後、ステップＡ３にて、親画面用ガンマＬＵＴ１０２が、親画面用画像処理部１０１にて処理された信号について、ガンマ特性を用いてガンマ補正を行い、ガンマ補正を行った信号を重畳部１０５へ出力する。
【００６０】
上記子画面の画像処理後、ステップＡ４にて、子画面用ガンマＬＵＴ１０４が、子画面用画像処理部１０３にて処理された信号について、ガンマ特性を用いてガンマ補正を行い、ガンマ補正を行った信号を重畳部１０５へ出力する。
【００６１】
次に、ステップＡ５にて、重畳部１０５が、親画面用ガンマＬＵＴ１０２から出力されてきた映像信号から生成される画面と、子画面用ガンマＬＵＴ１０４から出力されてきた映像信号から生成される画面とを重ねて合成し、合成画面を生成する。そして、ステップＡ６にて、出力部１０７が、重畳部１０５によって生成された合成画面を出力する。
【００６２】
なお、ステップＡ１の処理とステップＡ２の処理との順序は、特に規定しない。これらステップＡ１、Ａ２の処理は並行して実行されても良い。また、ステップＡ３の処理とステップＡ４の処理との順序も、特に規定しない。これらステップＡ３、Ａ４の処理は、並行して実行されても良い。
【００６３】
図９Ａに示した画像処理において、親画面及び子画面それぞれの輝度の測定結果に基づく子画面のガンマ特性変更処理が行われる。
【００６４】
図９Ｂは、子画面のガンマ特性変更処理の一手順を示すフローチャートである。
【００６５】
ステップＢ１にて、親画面用画像処理部１０１が、制御部１０６の指示に応じて親画面の輝度、例えば、合成画面における子画面の近傍の領域の輝度を測定する。ここで、合成画面における子画面の近傍の領域とは、例えば、前述した測定点（１）〜（８）である。親画面用画像処理部１０１は、測定した輝度に基づく輝度情報（第１の輝度）を、制御部１０６に通知する。
【００６６】
また、ステップＢ２にて、子画面用画像処理部１０３が、制御部１０６の指示に応じて子画面の輝度、例えば、子画面の枠の近傍や画面中央付近の輝度を測定する。ここで、子画面の枠の近傍とは、例えば、前述した測定点（１１）〜（１８）であり、画面中央付近とは、例えば、前述した測定点（１９）である。子画面用画像処理部１０３は、測定した輝度に基づく輝度情報（第２の輝度）を、制御部１０６に通知する。
【００６７】
次に、ステップＢ３にて、制御部１０６が、親画面用画像処理部１０１からの輝度情報と子画面用画像処理部１０３からの輝度情報とに基づいて、どちらの画面の輝度が高いかを判別し、また、その差分を算出する。そして、制御部１０６は、算出した輝度差が閾値以上であるか否かを判定する。
【００６８】
輝度差が閾値以上である場合は、ステップＢ４にて、制御部１０６が、子画面用ガンマＬＵＴ１０４がガンマ補正に用いるガンマ特性を変更する。
【００６９】
輝度差が閾値未満である場合、または、ステップＢ４の処理の後、ステップＢ５にて、制御部１０６が、ＰＩＰ表示停止処理か否かを判定する。
【００７０】
ＰＩＰ表示停止処理である場合は、ステップＢ６にて、制御部１０６が、子画面用ガンマＬＵＴ１０４がガンマ補正に用いるガンマ特性を初期値に戻す。
【００７１】
ＰＩＰ表示停止処理でない場合は、ステップＢ１及びＢ２の輝度測定が再び実行される。
【００７２】
なお、ステップＢ１の処理とステップＢ２の処理との順序は、特に規定しない。これらステップＢ１、Ｂ２の処理は並行して実行されても良い。
【００７３】
本実施形態では、親画面用画像処理部１０１が第１の輝度を算出し、子画面用画像処理部１０３が第２の輝度を算出するようにしたが、親画面用画像処理部１０１が親画面の輝度の測定結果を輝度情報として制御部１０６に通知し、子画面用画像処理部１０３が子画面の輝度の測定結果を輝度情報として制御部１０６に通知し、制御部１０６が、それら輝度情報に基づいて第１の輝度および第２の輝度を算出するようにしてもよい。
【００７４】
以上説明したように、本実施形態によれば、画像処理装置は、第１の画面に関する第１の信号に対応する輝度に基づく輝度情報と第２の画面に関する第２の信号に対応する輝度に基づく輝度情報とに基づき、第２の画面に対応する階調特性を変更する。これにより、画像処理装置は、画面の見栄えを改善することができる。
【００７５】
また、本実施形態によれば、画像処理装置は、第１の輝度と第２の輝度とを比較し、比較結果に基づき、第２の画面（子画面）のガンマ特性を変更する。これにより、画像処理装置は、画面の見栄えを改善することができる。
【００７６】
さらに、画像処理装置は、合成画面における子画面の近傍の領域に対応する親画面の輝度と子画面の領域の輝度とに応じて子画面の輝度を変化させるため、ぎらつきを防止し、見栄えを改善することができる。
【００７７】
（第２の実施形態）
一般的に、人間の視覚は画面中央部が支配的になる。そのため、例えば、子画面が親画面の端付近に合成された場合に、親画面の中央に近い測定点で測定された輝度に高い重み付けを行い、親画面の中央から遠い測定点で測定された輝度に低い重み付けを行うことで、第１の輝度を算出しても良い。これにより、ぎらつき防止の効果が大きくなる。
【００７８】
本実施形態の画像処理装置も、図５に示したような構成を有する。ただし、第１の実施形態との動作の違いを明確にするために、ここでは、親画面用画像処理部１０１を親画面用画像処理部１０１Ｂと称する。
【００７９】
親画面用画像処理部１０１Ｂは、第１の輝度を算出する際、親画面に対する子画面が合成される相対位置に応じて、それぞれの測定点における輝度に所定の重み付けを行い、重み付けを行った輝度に基づく値を第１の輝度として算出しても良い。なお、親画面に対する子画面が合成される相対位置は、制御部１０６から通知される。
【００８０】
図１０Ａは、子画面３００が親画面２００の中央付近に位置する場合の重畳画面の一例を示す図である。図１０Ａでは、親画面２００に対する子画面３００の相対位置がわかるように、親画面２００をＡ〜Ｉの９つのエリアに分割して示している。なお、分割エリアの数は９に限定されず、また、それぞれのエリアの面積も等しくする必要はない。
【００８１】
親画面用画像処理部１０１Ｂは、子画面３００の領域のうち、親画面２００のそれぞれのエリアに含まれる子画面３００のエリアａ〜ｅをそれぞれ算出し、算出した子画面３００のエリアａ〜ｅのうち、最大面積となるエリアが親画面３００のどのエリアに対応するかを判定する。そして、親画面用画像処理部１０１Ｂは、判定したエリアに応じて、画面中央に近い測定点にて測定された輝度に重みを高くした重み付けを行う。
【００８２】
例えば、親画面用画像処理部１０１Ｂは、子画面の最大面積となるエリアと対応するエリアが、親画面中央部に対応するエリアＥだと判定すると、全ての測定点は親画面中央部付近にあるとして、それぞれの測定点にて測定された輝度に等しい重み付けを行う。
【００８３】
また、親画面用画像処理部１０１Ｂは、子画面の最大面積となるエリアと対応するエリアが、親画面端部付近に対応するエリアＡ、Ｂ、Ｃ、Ｄ、Ｆ、Ｇ、Ｈ、Ｉだと判定すると、一部の測定点は親画面中央部付近にあり、他の測定点は、親画面端部付近にあるとして、親画面中央付近にある測定点にて測定された輝度に重みを高くした重み付けを行う。
【００８４】
図１０Ａに示すように、親画面２００の中央部付近に対応するエリアＥに含まれる子画面のエリアｅが最大の場合、子画面３００は、親画面中央部付近に位置すると判定される。親画面用画像処理部１０１Ｂは、子画面３００が親画面中央部付近に位置すると判定すると、測定点（１）〜（８）にて測定された輝度を用いて、以下の（式１）のように第１の輝度を算出する。
【００８５】
第１の輝度＝（１）×１／８＋（２）×１／８＋（３）×１／８＋（４）×１／８＋（５）×１／８＋（６）×１／８＋（７）×１／８＋（８）×１／８      …  （式１）
上記式１において、測定点（１）〜（８）にて測定された輝度をそれぞれ（１）〜（８）として表した。また、重み付けに用いられる係数は、測定点の数と重み付けの種類に基づき決定される。例えば、それぞれの測定点で測定された値を１としたときに、算出される値が１となるように、重み付け係数が設定される。ここでは、測定点の数が８であり、重み付けの種類は１つなので、重み付けの係数は（１／８）とした。
【００８６】
図１０Ｂは、子画面３００が親画面２００の端付近に位置する場合の重畳画面の一例を示す図である。図１０Ｂにおいても、図１０Ａと同様に、親画面２００をＡ〜Ｉの９つのエリアに分割して示している。
【００８７】
図１０Ｂに示すように、親画面２００の端部付近に対応するエリアＩに含まれる子画面のエリアｉが最大の場合、子画面３００は、親画面右下部付近に位置すると判定される。親画面用画像処理部１０１Ｂは、子画面３００が親画面右下部付近に位置すると判定すると、測定点（１）〜（８）にて測定された輝度を用いて以下の（式２）のように第１の輝度を算出する。
【００８８】
第１の輝度＝（１）×３／１６＋（２）×３／１６＋（３）×２／１６＋（４）×１／１６＋（５）×１／１６＋（６）×１／１６＋（７）×２／１６＋（８）×３／１６      …  （式２）
上記式（２）において、測定点の数が８であり、重み付けの種類を３つ（重み１が測定点３箇所、重み２が測定点２箇所、重み３が測定点３箇所に設定される。）とすると、（１×３＋２×２＋３×３＝１６）より、重み付けの係数はそれぞれ（１／１６）、（２／１６）、（３／１６）となる。したがって、子画面３００が親画面２００の右下部付近に位置するため、親画面中央部付近に近い測定点（１）、（２）、（８）の重み付け係数を（３／１６）とし、測定点（３）、（７）の重み付け係数を（２／１６）とし、測定点（４）、（５）、（６）の重み付け係数を（１／１６）とする。
【００８９】
また、親画面２００の端部付近に対応するエリアＦに含まれる子画面のエリアｆが最大の場合は、子画面３００は、親画面右中央部付近に位置すると判定される。親画面用画像処理部１０１Ｂは、子画面３００が親画面右中央部付近に位置すると判定すると、測定点（１）〜（８）にて測定された輝度を用いて以下の（式３）のように第１の輝度を算出する。
【００９０】
第１の輝度＝（１）×３／１６＋（２）×２／１６＋（３）×１／１６＋（４）×１／１６＋（５）×１／１６＋（６）×２／１６＋（７）×３／１６＋（８）×３／１６      …  （式３）
上記式（３）において、エリアｉが最大の場合と同様に、重み付けの係数はそれぞれ（１／１６）、（２／１６）、（３／１６）となる。したがって、子画面３００が親画面２００の右中央部付近に位置するため、親画面中央部付近に近い測定点（１）、（７）、（８）の重み付け係数を（３／１６）とし、測定点（２）、（６）の重み付け係数を（２／１６）とし、測定点（３）、（４）、（５）の重み付け係数を（１／１６）とする。
【００９１】
また、子画面のエリアａ、ｃ、ｇが最大の場合は、子画面のエリアｉが最大と判定された場合と同様に、親画面の中央部付近に近い測定点の重みが高くなるように処理を行う。
【００９２】
また、子画面のエリアｂ、ｄ、ｈが最大の場合は、子画面のエリアｆが最大と判定された場合と同様に、親画面の中央部付近に近い測定点の重みが高くなるように処理を行う。
【００９３】
本実施形態において、子画面用画像処理部１０３が、親画面用画像処理部１０１Ｂと同様の重み付けを用いた方法で第２の輝度を算出しても良い。
【００９４】
また、制御部１０６が、親画面用画像処理部１０１Ｂに代わって、上記の重み付けを用いた方法で第１の輝度を算出してもよい。この場合は、親画面用画像処理部１０１Ｂが親画面の各測定点の輝度測定結果を輝度情報として制御部１０６に通知する。
【００９５】
さらに、制御部１０６が、親画面用画像処理部１０１Ｂおよび子画面用画像処理部１０３に代わって、上記の重み付けを用いた方法で第１及び第２の輝度を算出してもよい。この場合は、親画面用画像処理部１０１Ｂが親画面の各測定点の輝度測定結果を輝度情報として制御部１０６に通知し、子画面用画像処理部１０３が子画面の各測定点の輝度測定結果を輝度情報として制御部１０６に通知する。
【００９６】
以上説明した本実施形態によれば、人間の視覚は画面中央部が支配的になるという特性を考慮し、親画面の各測定点に対して重み付けを行って第１の輝度を算出する、または、親画面および子画面の各測定点に対して重み付けを行って第１及び第２の輝度を算出するので、ぎらつき防止の効果を、さらに大きくすることができる。
【００９７】
（第３の実施形態）
子画面の枠として、所定の幅の枠領域を付加して親画面と合成する場合について説明する。このような所定の幅を持つ枠付きの子画面が表示された場合、合成画面上で子画面を移動したときや子画面を消去したとき等には、当該枠の残像（焼付き）が残ってしまい、その残像が画面を見えにくくさせてしまうことがある。本実施形態では、残像により画面が見えにくくなることを抑制するために、子画面の枠の表示色を周囲の輝度に応じて変化させる。
【００９８】
制御部１０６は、重畳部１０５が子画面に枠を付加して、親画面と子画面とを合成する場合、合成画面における子画面の近傍の領域に対応する親画面の輝度に応じた枠設定情報を重畳部１０５へ通知する。なお、枠設定情報は、枠を構成する各部分のうち、どの位置に対応するかを表す枠位置情報と、その枠の部分を画像として表示するための枠画像情報とを含む。
【００９９】
また、制御部１０６は、第１の実施形態、または、第２の実施形態と同様に、測定された輝度を受信しても良い。本実施形態では、親画面用画像処理部１０１および子画面用画像処理部１０３は、輝度に基づく輝度情報として、測定したそれぞれの輝度値を制御部に通知するものとする。また、所定の幅の枠を用いるので、測定点の位置は、枠の幅を考慮して設定しても良い。
【０１００】
また、制御部１０６は、例えば、合成画面における子画面の近傍の領域に対応する親画面の輝度（子画面近傍輝度）と枠画像情報とを対応付けたテーブルを有している。制御部１０６は、合成画面における子画面の近傍の領域に対応する親画面の輝度と対応付けられた枠画像情報をテーブルから読み出して重畳部１０５へ通知するものであっても良い。
【０１０１】
重畳部１０５は、制御部１０６から通知された枠設定情報を用いて、子画面に枠を付加して、親画面と子画面とを合成する。つまり、重畳部１０５は、制御部１０６から通知された枠設定情報で表される画像の枠を子画面に付加して、親画面と子画面とを合成する。
【０１０２】
図１１は、枠が付加された子画面の一例を示す図である。
【０１０３】
図１１に示すように、子画面３００に所定の幅を持つ枠が付加されている。この枠は、子画面３００の上側に付加される外枠Ｕ３０１と、右側に付加される外枠Ｒ３０２と、下側に付加される外枠Ｄ３０３と、左側に付加される外枠Ｌ３０４とから構成される。子画面３００の上側に付加される外枠Ｕ３０１を示す情報と、右側に付加される外枠Ｒ３０２を示す情報と、下側に付加される外枠Ｄ３０３を示す情報と、左側に付加される外枠Ｌ３０４を示す情報とは、それぞれ枠位置情報の一例である。
【０１０４】
図１２は、子画面近傍輝度と枠画像情報とを対応付けたテーブルの一例を示す図である。
【０１０５】
図１２に示すように、テーブルには、０〜２５５の階調で表された子画面近傍輝度（第３の輝度）と、（Ｒ、Ｇ、Ｂ）で表された枠画像情報（例えば、枠の画像に対応するＲＧＢ信号の階調）とが対応付けられて記憶されている。図１２に示すように、子画面近傍輝度が低い（暗い）ほど、枠画像情報は、黒に近い画像が対応付けられている。一方、子画面近傍輝度が高い（明るい）ほど、白に近い画像が対応付けられている。
【０１０６】
以下に、制御部１０６が外枠Ｕ３０１の画像を特定する処理の一例を説明する。
【０１０７】
制御部１０６が、外枠Ｕ３０１の周囲の測定点として挙げられる外枠Ｕ３０１近傍の測定点（１）〜（３）について測定された輝度を用いて第３の輝度を算出する。ここで、測定点（２）が外枠Ｕ３０１の中央に、測定点（１）、（３）が外枠Ｕ３０１の端部に対応しているため、制御部１０６は、測定点（２）の輝度に付加する重み付けを高くして、以下の（式４）のように第３の輝度を算出する。
【０１０８】
第３の輝度＝（１）×１／４＋（２）×１／２＋（３）×１／４      …  （式４）
第３の輝度が、例えば「１４０」であった場合、制御部１０６は、図１２で示したテーブルから、輝度「１４０」と対応付けられている枠画像情報（１３０，１３０，１３０）を読み出す。制御部１０６は、テーブルから読み出した枠画像情報（１３０，１３０，１３０）と、子画面３００の上側に付加される外枠Ｕ３０１を表す枠位置情報とを含む枠設定情報を重畳部１０５へ通知する。
【０１０９】
重畳部１０５は、制御部１０６から通知された枠設定情報に応じて、枠画像情報（１３０，１３０，１３０）で表される画像の外枠Ｕ３０１を子画面に付加して、親画面と子画面とを合成する。
【０１１０】
外枠Ｒ３０２については、制御部１０６は、外枠Ｒ３０２近傍の測定点（３）〜（５）にて測定された輝度に応じた枠画像情報を、同様の処理で特定する。また、外枠Ｄ３０３については、制御部１０６は、外枠Ｄ３０３近傍の測定点（５）〜（７）にて測定された輝度に応じた枠画像情報を、同様の処理で特定する。また、外枠Ｌ３０４については、制御部１０６は、外枠Ｌ３０４近傍の測定点（１）、（７）〜（８）にて測定された輝度に応じた枠画像情報を、同様の処理で特定する。制御部１０６は、特定した枠画像情報と枠位置情報とを含む枠設定情報を重畳部１０５へ通知する。
【０１１１】
重畳部１０５は、通知された枠設定情報で表される画像の枠を子画面に付加して、親画面と子画面とを合成する。
【０１１２】
本実施形態によれば、子画面に付加された枠とその外側との輝度差を小さくし、ぎらつきを軽減すると同時に、焼きつきを防止することができる。
【０１１３】
以上の各実施形態の画像処理装置において、親画面用として、親画面用画像処理部１０１及び親画面用ガンマＬＵＴ１０２を備え、子画面用として、子画面用画像処理部１０３及び子画面用ガンマＬＵＴ１０４を備えているが、画像処理部およびガンマＬＵＴは、親画面用と子画面用に固定的に設ける必要はない。例えば、第１及び第２の画像処理部と第１及び第２のガンマＬＵＴとを有する場合で、第１の画像処理部と第１のガンマＬＵＴのセットと第２の画像処理部と第２のガンマＬＵＴのセットとが同じ回路構成である場合は、これらのセットはいずれも、親画面用および子画面用として利用可能である。この場合、制御部１０６は、第1の画像処理部及び第1のガンマＬＵＴと、第２の画像処理部及び第２のガンマＬＵＴとのうち、どちらが輝度調整されるように設定されているかを認識して、各部を制御しても良い。例えば、制御部１０６は、どちらのセットが親画面または子画面として合成されるかを認識して、子画面用のガンマＬＵＴを変更してもよい。この場合、入力信号切替部１０８は削除しても良い。
【０１１４】
また、各実施形態において、画像処理装置１００は、画面を表示する出力部を含む、例えば、ディスプレイ装置やプロジェクタ装置などの表示装置に備えられる画像処理装置として説明したが、出力部は、映像信号を外部装置に出力するものであってもよい。この場合、外部装置は、例えば、ディスプレイ装置やプロジェクタ装置などの表示装置である。
【０１１５】
また、各実施形態において、画像処理部にて輝度を測定したが、例えば、映像信号を制御部に入力して制御部で輝度を測定するようにしても良い。また、制御部の一部により画像処理部を構成しても良い。
【０１１６】
また、第１の実施形態と、第２の実施形態と、第３の実施形態はそれぞれ単独で用いられても良いし、一部の実施形態を組み合わせて用いても良い。
【０１１７】
また、各実施形態において、画像処理装置１００に設けられた各構成要素が行う処理は、目的に応じてそれぞれ作製された論理回路で行うようにしても良い。また、処理内容を手順として記述したコンピュータプログラム（以下、プログラムと称する）を画像処理装置１００にて読取可能な記録媒体に記録し、この記録媒体に記録されたプログラムを画像処理装置１００に読み込ませ、画像処理装置１００がその読み込んだプログラムに従って処理を実行しても良い。画像処理装置１００にて読取可能な記録媒体とは、フレキシブルディスク（フロッピー（登録商標））、光磁気ディスク、ＤＶＤ、ＣＤなどの移設可能な記録媒体の他、画像処理装置１００に内蔵されたＲＯＭ、ＲＡＭ等のメモリやＨＤＤ等を指す。この記録媒体に記録されたプログラムは、画像処理装置１００に設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【０１１８】
また、本発明は、以下の付記に記載される形態をとり得るが、そのような形態に限定されない。
［付記１］
入力された第１の映像信号に所定の処理を行い出力する第１の画像処理部と、
入力された第２の映像信号に所定の処理を行い出力する第２の画像処理部と、
前記第１の画像処理部から入力された映像信号の階調を、所定の階調特性に基づき補正する第１の補正部と、
前記第２の画像処理部から入力された映像信号の階調を、所定の階調特性に基づき補正する第２の補正部と、
前記第１の補正部にて補正された映像信号に基づいて生成される第１の画面に、前記第２の補正部にて補正された映像信号に基づいて生成される第２の画面を、前記第１の画面の大きさよりも小さな大きさで合成して合成画面を生成する重畳部と、
少なくとも、前記第１の画像処理部と、前記第２の画像処理部と、前記第２の補正部と、前記重畳部と通信する制御部と、
前記合成画面を出力する出力部とを有し、
前記第１の画像処理部は、前記合成画面における前記第２の画面の近傍の領域に基づき入力された前記第１の映像信号に対応する輝度を測定して、該測定した輝度に基づく第１の輝度情報を生成し、
前記第２の画像処理部は、入力された前記第２の映像信号に対応する輝度を測定して、該測定した輝度に基づく第２の輝度情報を生成し、
前記制御部は、前記第１の画像処理部が生成した前記第１の輝度情報と前記第２の画像処理部が生成した前記第２の輝度情報とに基づき、前記第２の補正部が補正する前記階調特性を変更する、画像処理装置。
［付記２］
付記１に記載の画像処理装置において、
前記第１の輝度情報が第１の輝度であり、前記第２の輝度情報が第２の輝度であり、前記制御部は、前記第１の輝度と前記第２の輝度との差分を算出し、該算出した差分が閾値よりも大きな値である場合に、前記第２の補正部が補正する前記階調特性を変更する、画像処理装置。
［付記３］
付記２に記載の画像処理装置において、
前記第１の輝度は、前記第１の画面の複数の測定点の輝度に重み付けを行って算出される、画像処理装置。
［付記４］
付記３に記載の画像処理装置において、
前記制御部は、前記合成画面における前記第１の画面に対する前記第２の画面の相対位置に応じて、前記第１の画面の前記複数の測定点の輝度それぞれに対して重み付けを行い、該重み付けを行った輝度の値に基づいて前記第１の輝度を算出する、画像処理装置。
［付記５］
付記２から４のいずれかに記載の画像処理装置において、
前記第２の輝度は、前記第２の画面の複数の測定点の輝度に重み付けを行って算出される、画像処理装置。
［付記６］
付記５に記載の画像処理装置において、
前記制御部は、前記合成画面における前記第１の画面に対する前記第２の画面の相対位置に応じて、前記第２の画面の前記複数の測定点の輝度それぞれに対して重み付けを行い、該重み付けを行った輝度の値に基づいて前記第２の輝度を算出する、画像処理装置。
［付記７］
付記２に記載の画像処理装置において、
前記第１の輝度は、前記第１の画面の複数の測定点の輝度の平均値である、画像処理装置。
［付記８］
付記２または７に記載の画像処理装置において、
前記第２の輝度は、前記第２の画面の複数の測定点の輝度の平均値である、画像処理装置。
［付記９］
付記２から８のいずれかに記載の画像処理装置において、
前記制御部は、前記第１の輝度が前記第２の輝度よりも高い場合に、前記第２の補正部が補正する前記階調特性の低階調部分の出力を上げる、画像処理装置。
［付記１０］
付記２から９のいずれかに記載の画像処理装置において、
前記制御部は、前記第１の輝度が前記第２の輝度よりも低い場合に、前記第２の補正部が補正する前記階調特性の高階調部分の出力を下げる、画像処理装置。
［付記１１］
付記１から１０のいずれか１つに記載の画像処理装置において、
前記合成画面における前記第２の画面の水平方向の大きさをＬｈ、垂直方向の大きさをＬｖとすると、前記合成画面における前記第２の画面の近傍の領域は、前記第２の画面の垂直方向の枠から０以上、Ｌｈ／２以内、前記第２の画面の水平方向の枠から０以上、Ｌｖ／２以内の領域である、画像処理装置。
［付記１２］
付記１から１１のいずれか１つに記載の画像処理装置において、
前記重畳部は、前記第２の画面に枠を付加して前記第１の画面に合成して前記合成画面を生成し、
前記制御部は、前記合成画面における前記第２の画面の近傍の領域に対応する前記第１の画面の輝度に応じた枠設定情報を前記重畳部へ通知し、
前記重畳部は、前記制御部から通知された枠設定情報に基づいて前記枠を付加することを特徴とする画像処理装置。
［付記１３］
付記１２に記載の画像処理装置において、
前記制御部は、前記枠設定情報として、前記枠を表示するための枠画像情報が輝度毎に保持されたテーブルを有し、前記合成画面における前記第２の画面の近傍の領域に対応する前記第１の画面の輝度と対応付けられた枠画像情報を前記テーブルから読み出して前記重畳部へ通知する、画像処理装置。
［付記１４］
付記１から１３のいずれか１つに記載の画像処理装置を備えた表示装置。
［付記１５］
入力された第１の映像信号の階調を所定の階調特性に基づき補正する第１の補正と、入力された第２の映像信号の階調を所定の階調特性に基づき補正する第２の補正とをそれぞれ行う処理と、
前記第１の補正がなされた映像信号に基づいて生成される第１の画面に、前記第２の補正がなされた映像信号に基づいて生成される第２の画面を、前記第１の画面の大きさよりも小さな大きさで合成して合成画面を生成する処理と、
前記合成画面における前記第２の画面の近傍の領域に基づき入力された前記第１の映像信号に対応する輝度を測定して、該測定した輝度に基づく第１の輝度情報を生成する処理と、
入力された前記第２の映像信号に対応する輝度を測定して、該測定した輝度に基づく第２の輝度情報を生成する処理と、
前記第１の輝度情報と前記第２の輝度情報とに基づき、前記第２の補正で用いる前記階調特性を変更する処理と、を行う画像処理方法。
［付記１６］
入力された第１の映像信号の階調を所定の階調特性に基づき補正する第１の補正と、入力された第２の映像信号の階調を所定の階調特性に基づき補正する第２の補正とをそれぞれ行う手順と、
前記第１の補正がなされた映像信号に基づいて生成される第１の画面に、前記第２の補正がなされた映像信号に基づいて生成される第２の画面を、前記第１の画面の大きさよりも小さな大きさで合成して合成画面を生成する手順と、
前記合成画面における前記第２の画面の近傍の領域に基づき入力された前記第１の映像信号に対応する輝度を測定して、該測定した輝度に基づく第１の輝度情報を生成する手順と、
入力された前記第２の映像信号に対応する輝度を測定して、該測定した輝度に基づく第２の輝度情報を生成する手順と、
前記第１の輝度情報と前記第２の輝度情報とに基づき、前記第２の補正で用いる前記階調特性を変更する手順とを、画像処理装置に実行させるためのプログラム。
【０１１９】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【図１】
2014167616.tif 000003
【図２】
2014167616.tif 000004
【図３】
2014167616.tif 000005
【図４】
2014167616.tif 000006
【図５】
2014167616.tif 000007
【図６】
2014167616.tif 000008
【図７Ａ】
2014167616.tif 000009
【図７Ｂ】
2014167616.tif 000010
【図８Ａ】
2014167616.tif 000011
【図８Ｂ】
2014167616.tif 000012
【図８Ｃ】
2014167616.tif 000013
【図９Ａ】
2014167616.tif 000014
【図９Ｂ】
2014167616.tif 000015
【図１０Ａ】
2014167616.tif 000016
【図１０Ｂ】
2014167616.tif 000017
【図１１】
2014167616.tif 000018
【図１２】
2014167616.tif 000019
【国際調査報告】
2014167616.tif 000020
2014167616.tif 000021
2014167616.tif 000022
2014167616.tif 000023